(57)【特許請求の範囲】
【請求項１】
所要時に所定の重心移動方向に沿って重心を移動させることができるルアーに適用されるルアー用重心移動機構であって、
上記重心移動方向の一方側に配置された磁性を帯びた基本錘部と、
上記重心移動方向の他方側に当該重心移動方向に沿って移動し得る状態で配置された強磁性体を含む移動錘部と、
上記基本錘部と移動錘部とを隔て、基本錘部を上記重心移動方向と交差する方向に移動させ得る隔壁部とを備えたことを特徴とするルアー用重心移動機構。
【請求項２】
請求項１記載のルアー用重心移動機構において、
上記移動錘部は、強磁性体からなる保持用錘と、当該保持用錘と上記基本錘部との間に上記重心移動方向に沿って移動し得る状態で配置された弱磁性体からなる重心移動用錘とを備えていることを特徴とするルアー用重心移動機構。
【請求項３】
請求項１または２記載のルアー用重心移動機構において、
上記基本錘部および移動錘部は、上記重心移動方向に沿って配置された強磁性体からなる基板上に配置されており、
上記隔壁部は、上記基板を屈曲形成することにより構成されていることを特徴とするルアー用重心移動機構。
【請求項４】
請求項１ないし３のいずれかに記載のルアー用重心移動機構において、
上記隔壁部の上記基本錘部が配置された側の壁面は、当該基本錘部を移動させるための案内面部を構成していることを特徴とするルアー用重心移動機構。
【請求項５】
請求項３または４記載のルアー用重心移動機構において、
上記隔壁部の上記基本錘部が配置された側の壁面は、当該基本錘部を移動させるための弱磁性体からなる案内板を備えており、
当該案内板に貫通形成された係止用小孔と、上記基板に形成された係止用突起とが嵌合されていることを特徴とするルアー用重心移動機構。
【請求項６】
擬魚形態を呈する弱磁性体からなる筐体と、
筐体内部に備えられた上記請求項１ないし５のいずれかに記載のルアー用重心移動機構とを有し、
当該重心移動方向は、上記筐体の前後方向と一致されていることを特徴とするルアー。
【請求項７】
請求項６記載のルアーにおいて、
上記筐体には第１のリブが形成されており、当該リブは、上記隔壁部の一部を構成していることを特徴とするルアー。
【請求項８】
請求項７記載のルアーにおいて、
上記第１のリブは、上記案内板を兼ねていることを特徴とするルアー。
【請求項９】
請求項６ないし８のいずれかに記載のルアーにおいて、
上記筐体には、前後方向に沿って第２のリブが形成されており、当該第２のリブは、上記移動錘部の移動を案内する錘移動用通路を区画形成していることを特徴とするルアー。
【発明の詳細な説明】
【０００１】
【発明の属する技術の分野】
この発明は、重心を移動させることができるルアーに関し、より詳細にはルアーの重心移動に採用される重心移動機構に関するものである。
【０００２】
【従来の技術】
従来から、図４に示すような重心を移動させることのできるルアーが提供されている（実公平３−１５０２１号公報参照）。同図を参照して、このルアー１には、重心移動用の錘２が内蔵され、この錘２を前後に移動させるための通路３が形成されている。そして、錘２を実線で示す中央位置と二点鎖線で示す後方位置との間で自由に移動させることにより、ルアー１の重心がそれぞれ前位置および後位置に移動するようになっている。
【０００３】
このように重心を移動させるのは、ルアー１のキャスティング時とリーリング時とにおいて、それぞれ重心を移動させることが好ましいからである。すなわち、キャスティング時にはルアー１が空中を飛行するから、飛行中のルアー１の姿勢を安定させるために、重心は後方に位置するのが好ましく、一方、リーリング時には、ルアー１の泳姿勢をより擬魚的（たとえば左右に振動する等）なものとするために、重心は中央部に位置するのが好ましいからである。
【０００４】
ルアー１の重心を後方に移動させるのは、専ら良好なキャスティングを実現するためである。したがって、リーリング時にはルアー１の重心は中央位置に保持されていることが必要である。このため、錘２をルアー１の中央部に保持するために次のような保持機構が採用されている。
【０００５】
すなわち、図４において、錘２は炭素鋼等の強磁性体により構成されており、通路３の前端壁面４に磁石５が埋め込まれている。これにより、錘２が通路３の前端、すなわちルアー１の中央部に位置すると、錘２が磁石５により磁着されて所定の保持力で保持されるようになっている。
【０００６】
ところで、錘２の外形寸法は設計上できるだけ小さくしたいという要請がある。このため、錘２をタングステン等の比重の大きい材料によって構成するのが好ましいのであるが、タングステンでは磁着することができないという問題がある。
【０００７】
このため、図４に示すような他の保持機構が提案されている。この保持機構は、通路３の底面６に凹部７を形成したものであって、錘２が通路３の前端、すなわちルアー１の中央部に位置すると、錘２が凹部７にはまり込んで構造的に保持されるようになっている。
【０００８】
上述のような２つの保持機構によれば、通常（ルアー１のリーリング時）においては錘２がルアー１の中央部に保持され、キャスティング時には、当該保持力に抗して錘２が後方へ移動するようになっている。
【０００９】
【発明が解決しようとする課題】
しかしながら、図４に示すような磁力による保持では、常に磁力が錘２に作用しているため、リーリング時における錘２の保持は良好であるが、キャスティング時にキャストと同時に錘２が後方へ移動せず、キャストの瞬間からある時間遅れを生じて後方へ移動する。このため、ルアー１の飛行姿勢が過渡的に不安定となって、ルアー１に連結されたラインがルアー１に絡まったりする場合がある。
【００１０】
一方、図５に示すように凹部７によって構造的に保持するものは、一般的にその保持力が弱いため、リーリング時に重心を中央部に安定させにくいという問題がある。また、凹部７を深くして保持力を高めれば、キャスティング時に錘２が移動しにくくなり、キャスト後のルアー１の飛行姿勢を安定させにくいという問題がある。
【００１１】
そこで、本発明の目的は、リーリング時には中央部に重心を位置させ、キャスティング時にはキャストの瞬間と同時に後方に重心を移動させることができる重心移動ルアーを提供すること、およびそれを実現するための重心移動機構を提供することである。
【００１２】
【課題を解決するための手段】
本願発明者は、ルアーのキャストの瞬間に重心移動用の錘を保持する保持力を解除することができれば、キャストと同時に重心を速やかに移動させることができ、上記課題を解決することができる点に着目した。
【００１３】
(1)  そこで、本願に係るルアー用重心移動機構は、所要時に所定の重心移動方向に沿って重心を移動させることができるルアーに適用されるルアー用重心移動機構であって、上記重心移動方向の一方側に配置された磁性を帯びた基本錘部と、上記重心移動方向の他方側に当該重心移動方向に沿って移動し得る状態で配置された強磁性体を含む移動錘部と、上記基本錘部と移動錘部とを隔て、基本錘部を上記重心移動方向と交差する方向に移動させ得る隔壁部とを備えたことを特徴とするものである。
【００１４】
この構成によれば、基本錘部と移動錘部とは、隔壁部を介して隣接する。したがって、常時（たとえばルアーのリーリング時）においては、隔壁部を隔てて移動錘部が基本錘部の磁力によって保持される。
【００１５】
ところが、キャスティング時においては、キャストの瞬間に移動錘部に加わる衝撃力によって当該移動錘部が重心移動方向に沿って移動しようとすると共に、基本錘部に加わる衝撃力によって当該基本錘部が隔壁部に沿って移動する。そして、この基本錘部の移動方向は、上記重心移動方向と交差する方向、すなわち移動錘部の移動方向と交差する方向である。したがって、基本錘部が移動することによって、基本錘部と移動錘部との離隔距離が大きくなり、移動錘部に作用する磁力が急激に減少する。これにより、キャストと同時に移動錘部の保持力が解除され、移動錘部は、速やかに重心移動方向に沿って移動することができる。
【００１６】
(2)  上記移動錘部は、強磁性体からなる保持用錘と、当該保持用錘と上記基本錘部との間に上記重心移動方向に沿って移動し得る状態で配置された弱磁性体からなる重心移動用錘とを備えて構成することができる。
【００１７】
この構成によれば、基本錘部に磁着される保持用錘によって、当該保持用錘と重心移動用錘とが保持される。ここで、重心移動用錘は弱磁性体からなるから、基本錘との間で作用する磁力はきわめて弱く、実質的に当該磁力を無視することができる。つまり、基本錘部と保持用錘によって重心移動用錘を挟持した状態で保持することができる。したがって、重心移動用錘をたとえばタングステン等の弱磁性体であって且つ高比重の材料により構成したとしても、重心移動用錘を確実に保持することができる。
【００１８】
(3)  また、上記基本錘部および移動錘部を、上記重心移動方向に沿って配置された強磁性体からなる基板上に配置し、上記隔壁部は、上記基板を屈曲形成することにより構成することができる。
【００１９】
この構成によれば、基板が強磁性体からなるため、基本錘部による磁力が基板を介して移動錘部側に伝達される。すなわち、基本錘部の磁力が確実に移動錘部側に作用し、これにより、常時において保持用錘および重心移動用錘の保持状態を簡単に確保することができる。しかも、キャスティング時には基本錘部が隔壁に沿って上記方向に移動することができるから、キャストの瞬間と同時に移動錘部を保持するための保持力（保持用錘に作用する磁力、すなわち重心移動用錘を保持するための保持力）を解除することができる。
【００２０】
(4)  さらに、上記隔壁部の上記基本錘部が配置された側の壁面を、当該基本錘部を移動させるための案内面部として構成することもできる。
【００２１】
この構成によれば、案内面部によって基本錘部の移動が案内されるから、基本錘部の移動がスムーズである。その結果、上記重心移動用錘を保持するための保持力の解除を速やかに且つ確実に行うことができる。
【００２２】
(5)  加えて、上記隔壁部の上記基本錘部が配置された側の壁面は、当該基本錘を移動させるための弱磁性体からなる案内板を備えており、当該案内板に係止用小孔を貫通形成すると共に、上記基板に係止用突起を形成し、これら係止用小孔と係止用突起とを嵌合させる構造とすることができる。
【００２３】
この構成によれば、案内板は弱磁性体からなるため、基本錘部との間で作用する磁力はきわめて小さく、これを無視することができる。このため、案内板に沿って基本錘部を移動させることができ、基本錘部の移動をスムーズに行うことができる。その結果、上記重心移動用錘を保持するための保持力の解除を速やかに且つ確実に行うことができる。
【００２４】
しかも、基板の係止用突起が案内板に貫通形成された係止用小孔に嵌合しているから、常時においては、基板の係止用突起の部分のみが係止用小孔を通して直接基本錘部と接触し得る状態となる。したがって、キャスティング時に基本錘部が移動することによって直ちに基本錘部と基板との間に作用する磁力が遮断され、その結果、上記重心移動用錘を保持するための保持力をキャストの瞬間と同時に一層確実に解除することができる。
【００２５】
(6)  また、本願に係るルアーは、擬魚形態を呈する弱磁性体からなる筐体と、筐体内部に備えられた上記請求項１ないし５のいずれかに記載のルアー用重心移動機構とを有し、当該重心移動方向は、上記筐体の前後方向と一致されていることを特徴とするものである。
【００２６】
この構成によれば、筐体は弱磁性体からなるため、基本錘部との間で作用する磁力はきわめて小さく、これを無視することができる。そして、筐体内部には上述のルアー用重心移動機構を備えているから、ルアーの前後方向に沿って重心を移動させることができる。すなわち、キャスティング時にはキャストの瞬間と同時に速やかにルアーの後方へ重心を移動させ、常時（リーリング時等）にはルアーの中央部付近（前方側）へ重心を移動させることが可能である。
【００２７】
(7)  上記筐体に第１のリブを形成し、当該リブにより上記隔壁部の一部を構成するようにすることができる。
【００２８】
この構成によれば、筐体の補強用として第１のリブを形成して、これを上記隔壁部の一部として使用することにより、ルアーの部品点数を削減して、コストを下げることが可能となる。
【００２９】
(8)  また、上記第１のリブは、上記案内板を兼ねるように構成することもできる。
【００３０】
この構成によれば、基本錘部を第１のリブに沿って移動させることができるので、ルアーの部品点数をさらに削減して、さらなるコストダウンを図ることが可能となる。
【００３１】
(9)  さらに、上記筐体に、その前後方向に沿って第２のリブを形成し、当該第２のリブによって、上記移動錘部の移動を案内する錘移動用通路を区画形成することができる。
【００３２】
この構成よれば、筐体の補強用として第２のリブを形成して、これを錘移動用通路を区画する部材に兼用することができる。この錘移動用通路によって、移動錘部を円滑に移動させることが可能となる。しかも、この第２のリブを兼用することにより、錘移動用通路の形成に特別の部品を使用することなく、ルアーの製造コストが上昇するのを抑えることができる。
【００３３】
【発明の実施の形態】
以下、本発明の実施の形態について説明する。
【００３４】
図１は、本発明の実施形態に係るルアー１０の断面図であって、その構造を示している。
【００３５】
(1)  ルアーの概説と実施形態のポイント
同図を参照して、このルアー１０は、重心を移動させることができるものである。すなわち、ルアー１０は、重心移動用錘１１を内蔵しており、これを図中実線で示す位置（中央位置）と二点鎖線で示す位置（後方位置）との間で移動させることにより、重心をルアー１０の前後方向に沿って中央位置と後方位置との間で自由に移動させることができるようになっている。
【００３６】
このように重心を移動させるのは、ルアー１０のキャスティングおよびリーリングを良好なものとするためである。すなわち、キャスティング時には、ルアーの飛行姿勢を安定させて遠投性とコントロール性を向上させるために重心を後方に位置させ、一方、リーリング時には、ルアーの泳姿勢をより擬魚的なもの（ルアー１０の中央部を回転中心とした振動の発生等）とするために重心を中央に位置させるためである。
【００３７】
本実施形態の特徴とするところは、ルアー１０が、重心の移動を的確に行うための重心移動機構１２を備えている点であり、この重心移動機構１２によって、常時（リーリング時等）は重心を中央位置に保持でき、しかもキャスティング時には、キャストの瞬間と同時に重心を後方へ移動させることができるようになっている点である。以下、詳しく説明する。
【００３８】
(2)  ルアーの構成
ルアー１０は、筐体１３と、筐体１３の内部に配置された重心移動機構１２とを備えている。
【００３９】
筐体１３は、中空状に形成されており、たとえば合成樹脂等の弱磁性体により構成することができる。ここで、弱磁性体とは、磁界中においてきわめて弱い磁化現象が起こる物質であり、磁性を帯びた物体との間に作用する磁力が無視できるほど弱く、いわゆる磁石にくっつかないと考えられる物質をいうと定義する。なお、以下において、「弱磁性体」については、かかる解釈を行う。
【００４０】
筐体１３は、その表面に魚模様の塗装が施されており、全体として擬魚形態を呈している。筐体１３の前部には、リップ１４が一体的に突出形成されており、このリップ１４によりリーリング時のルアー１０の姿勢に変化を与えることができる。これにより、ルアー１０のリーリング時には、ミノーの泳ぎに似せたきわめて擬魚的な動きをさせることができるようになっている。
【００４１】
また、筐体１３の前部にはラインを結節するためのアイレットフック１５が設けられており、筐体１３の中央下部および後部には、釣針を連結するためのボディフック１６，１７が設けられている。これらアイレットフック１５、ボディフック１６，１７は、たとえばインサート成型によって筐体１３と共に一体的に形成することができる。
【００４２】
さらに、筐体１３の内部には、第１リブ１８および第２リブ１９が形成されている。これら第１および第２リブ１８，１９は、筐体１３の剛性を向上させるための補強部材として機能するが、本実施形態では、第１リブ１８は、重心移動機構１２の隔壁部２０としても機能し、第２リブ１９は、重心移動用錘１１の移動用通路２１を区画する部材としても機能するようになっている。これら隔壁部２０および移動用通路２１については、後に詳述する。
【００４３】
加えて、筐体１３の内部底面２２は、後方から前方へ緩やかに傾斜する傾斜面として形成されている。このため、ルアー１０が図１に示す姿勢（リーリング時の姿勢）にあるときは、内部底面２２は、後方から前方への下り傾斜となる。したがって、仮に重心移動用錘１１が後方に位置するときでも、この重心移動錘１１は、内部底面２２に沿って自然に中央部側へ移動するようになっている。
【００４４】
次に、重心移動機構１２について説明する。
【００４５】
図２は、図１の要部拡大図であって、重心移動機構１２を詳細に示した図である。図２を参照して説明する。
【００４６】
重心移動機構１２は、上記隔壁部２０と、隔壁部２０の左側（ルアー１０の中央部）の空間内に配置された基本錘２３と、隔壁部２０を隔てて基本錘２３と反対側（ルアー１０の後方側）の空間内に配置された移動錘部２４と、移動錘部２４を載置することができ、且つ図に示すように基本錘２３と接触可能に形成された基板２５とを備えている。
【００４７】
基本錘２３は球形に形成されている。基本錘２３は、たとえば炭素鋼等により構成することができ、磁性を帯びている。つまり基本錘２３は、いわゆる磁石として構成されている。
【００４８】
隔壁部２０は、上記第１リブ１８によって構成されている。すなわち、筐体１３の補強用の第１リブ１８が、筐体１３の内部にクロスメンバとして配置されているが（図１参照）、この第１リブ１８が基本錘２３と移動錘部２４とを隔てる部材として機能している。
【００４９】
隔壁部２０は、図に示すように、筐体１３の前方から後方へ上り傾斜が形成された状態で配置されている。そして、基本錘２３は、この隔壁部２０と筐体１３の内部底面２２とが連続する部位に配置されている。
【００５０】
したがって、基本錘２３は、一定以上の力が作用すると、この隔壁部２０の壁面２６に沿って矢印２７の方向に移動することができるようになっている。この矢印２７の方向とは、筐体１３の前後方向、すなわち移動用錘１１の移動方向（重心移動方向）に対して交差する方向であり、当該方向に沿って基本錘２３が移動することによって、基本錘２３と移動錘部２４との距離が大きくなるようになっている。つまり、この隔壁部２０を構成する第１リブ１８は、基本錘２３が矢印２７に沿って移動するための案内板を兼ねている。
【００５１】
また、隔壁部２０には、小孔２８が貫通形成されている。この小孔２８は、基板２５の一部が係合するようになっているが、この小孔２８の具体的作用効果については後述する。
【００５２】
次に、基板２５は、所定幅寸法を有する帯状の部材であって、強磁性体により構成されている。基板２５の幅寸法は、筐体１３内に基板２５を収容することができる寸法であればよい。基板２５の材料は、強磁性体であれば特に限定されないが、一般的に炭素鋼等を用いることができる。
【００５３】
基板２５は、図に示すように山形の屈曲部２９と、これに連続した平板部３０とを有しており、これらは、単一の帯状部材を屈曲して形成したものである。基板２５の屈曲部２９は、隔壁部２０に当接する当接辺部３１と、これに連続して移動錘部２４側へ延びる延設部３２とを有している。そして、この延設部３２が平板部３０と連続している。つまり、本実施形態では、当接辺部３１が第１リブ１８に当接しており、隔壁部２０は、この第１リブ１８と基板２５の屈曲部２９とにより構成されている。
【００５４】
基板２５の当接辺部３１の先端部には、突起３３が形成されている。この突起３３は、半円筒状に形成されており、当接辺部３１を湾曲形成することにより構成されている。この突起３３は、隔壁部２０の小孔２８と嵌合されており、突起３３の先端が隔壁部２０の上記壁面２６といわゆる面一状態となるように形成されている。したがって、基本錘２３は、この突起３３部分と接触が可能となっている。もっとも、突起３３の形状は、かかる半円筒状に限定されることはなく、要するに隔壁部２０の小孔２８と確実に係合することができるものであれば他の形状にすることもできる。
【００５５】
次に、移動錘部２４は、重心移動用錘１１と、保持用錘３４とを有している。重心移動用錘１１は、球形に形成されており、弱磁性体により構成されている。本実施形態では、移動用錘１１はタングステンにより構成されている。タングステンは炭素鋼等に比べて比重が大きく、これにより、炭素鋼等を用いて所要の重量を有する重心移動用錘を構成する場合に比べて、その外形寸法を小さくすることができる。
【００５６】
また、保持用錘３４は、球形に形成されており、強磁性体により構成されている。本実施形態では、保持用錘３４は炭素鋼により構成されている。したがって、筐体１３の前方側に配置された基本錘２３の磁力は保持用錘３４に作用し、これにより、保持用錘３４が基本錘２３側に引かれる。その結果、重心移動用錘１１は、保持用錘３４と基本錘２３との間でこれらによって挟持された状態で保持される。
【００５７】
(3)  ルアーの使用方法と作用効果
次に、ルアー１０の使い方について、各部の作用効果と共に説明する。
【００５８】
図１を参照して、まず、ルアー１０のアイレットフック１５にライン（図示せず）を結節し、ロッドを用いてルアー１０をキャストする。このとき、基本錘２３は図１に示すように筐体１３の下部に位置し、その磁力が基板２５および保持用錘３４に伝達され、重心移動用錘１１が保持用錘３４と基本錘２３とにより挟持された状態となる。これにより、結局、移動錘部１２は、全体として基本錘２３の磁力によって引きつけられ、筐体１３の中央位置に保持される。つまり、基本錘２３と移動錘部１２とは、隔壁部２０を介して隣接する。
【００５９】
ルアー１０をキャストすると、キャストの瞬間に移動錘部１２および基本錘２３に急激な遠心力（衝撃力）が加わる。これにより、移動錘部１２が後方（重心移動方向）へ移動しようとすると共に、基本錘２３が隔壁部２０に沿って矢印２７の方向へ瞬時に移動する。この基本錘２３の移動方向は、移動錘部１２の移動方向と交差する方向であるから、基本錘２３と移動錘部１２との距離が急激に大きくなり、両者間に作用する磁力が急激に減少する。これにより、ルアー１０のキャストと同時に移動錘部１２の保持力が解除されるから、移動錘部１２は、キャストの瞬間と同時に速やかに筐体１３の後方へ移動する。
【００６０】
これにより、ルアー１０の重心が後方へ移動するから、ルアー１０は後部から安定した姿勢で飛行することができる。その結果、ルアー１０の飛距離を増大させることができると共に、ルアー１０へのラインの絡み付き等を防止することができる。
【００６１】
また、着水と同時に基本錘２３が元の位置に戻り、ルアー１０が水中で略水平状態となる。このとき、筐体１３の内部底面２２は後方から前方側への下り傾斜となっているので、移動錘部１２は、この傾斜に沿って中央位置へ移動し、当該位置に保持される。これにより、ルアー１０の重心は再び中央位置へ移動する。その結果、ルアー１０のリーリング時には重心を中央位置に保持しておくことができ、ルアー１０の泳姿勢をきわめて擬魚的なものとすることができる。
【００６２】
また、本実施形態では、移動錘部１２が重心移動用錘１１と保持用錘３４とにより構成され、基本錘２３に磁着される保持用錘３４によって、当該保持用錘３４と重心移動用錘１１とが保持される。すなわち、重心移動用の錘部材として弱磁性体からなる部材、特にタングステンからなる重心移動用錘１１を採用しているから、上述したように、重心移動用錘１１の外形寸法を小さくすることができる。その結果、ルアー１０全体としての外形寸法を小さくすることが可能となり、設計上の自由度が大きくなるという利点がある。
【００６３】
さらに、本実施形態では、隔壁部２０の壁面２６が、基本錘２３の移動を案内する案内面として構成されている。これにより、基本錘２３の移動がスムーズであり、重心移動用錘１１の保持力の解除を確実に行うことができる。その結果、ルアー１０のキャストの瞬間と同時に重心を確実に移動させることができるという利点がある。
【００６４】
加えて、上記壁面２６は、弱磁性体からなる第１リブ１８により構成されるから、基本錘２３と壁面２６との間で磁力が作用しない。これにより、基本錘２３の移動をよりスムーズに行わしめることができるという利点もある。さらに、壁面２６に設けられた小孔２８に基板２５の突起３３がはまり込んでいるから、ルアー１０のキャスト前およびリーリング時においては、基本錘２３と突起３３とが直接接触する。これにより、基本錘２３の磁力が確実に保持用錘３４に伝達され、移動錘部１２を確実に保持することができる。
【００６５】
その一方、基本錘２３と直接接触しているのは、かかる小孔２８部分に嵌合した突起３３の先端部分のみであるから、ルアー１０のキャスティング時に基本錘２３が移動することによって直ちに基本錘２３と基板２５との間に作用する磁力が遮断される。これにより、重心移動用錘１１の保持力をキャストの瞬間と同時に一層確実に解除することができる。その結果、ルアー１０のキャストの瞬間と同時に重心を一層速やかに移動させることができるという利点もある。
【００６６】
また、本実施形態では、筐体１３の補強用としての第１リブ１８を隔壁部２０を構成する部材として使用しているから、隔壁部２０を特別の部材により構成する必要がなく、ルアー１０の部品点数を削減して、コストを下げることが可能である。しかも、この第１リブ１８は、基本錘２３の移動を案内する案内板としても機能する。これにより、基本錘２３の円滑な移動を実現するために、その移動を案内する部材を別途設ける必要がなく、ルアー１０の部品点数をさらに削減して、さらなるコストダウンを図ることが可能となる。
【００６７】
さらに、本実施形態では、筐体１３の前後方向に沿って第２リブ１９を形成し、これにより移動錘部１２の移動を案内する移動用通路２１を区画形成している。したがって、この移動用通路２１によって、移動錘部１２を円滑に移動させることができ、ルアー１０の重心移動をよりスムーズなものとすることができる。
【００６８】
しかも、筐体１３の補強用としての第２リブ１９を移動用通路２１を区画する部材として兼用するという構造を採用しているから、移動用通路２１を別部材により形成する場合に比べて部品点数を少なくすることができ、ルアー１０の製造コストが上昇するのを抑えることができる。
＜実施形態の変形例＞
次に、上記実施形態の変形例について説明する。
【００６９】
図３は、変形例に係るルアー４０の断面図である。本変形例に係るルアー４０が上記実施形態に係るルアー１０と異なるところは、上記実施形態では、第１リブ１８が隔壁部２０の壁面２６を構成しているのに対して（図１参照）、本変形例では、図３に示すように、第１リブ４１と基板４２とが面一状態で形成されており、第１リブ４１と基板４２の屈曲部４３とにより隔壁部２０の壁面４４を構成している点である。なお、その他の構成については上記実施形態と同様であるから、上記実施形態に係るルアー１０の構成と同様の構成については同一の参照符号を付してその説明を省略する。
【００７０】
本変形例では、第１リブ４１は、いわゆるクロスメンバとして構成されているものではなく、筐体１３の内部中央まで延設された部材である。一方、基板４２の屈曲部４３は、全体としては上記実施形態と同様に山形に屈曲形成されているが、突起３３が設けられていない。そして、この屈曲部４３の端部と第１リブ４１とによって隔壁部２０が構成されており、屈曲部４３の端面４５と第１リブ４１の端面４６とが面一状態に配置されている。この面一状態に配置された端面４５，４６は、隔壁部２０の壁面４４を構成し、この壁面４４が基本錘２３の移動を案内する案内面を構成している。
【００７１】
かかる変形例においても、上記実施形態と同様の作用効果を奏する。すなわち、ルアー４０をキャストすると、キャストの瞬間に移動錘部１２および基本錘２３に急激な遠心力（衝撃力）が加わり、その結果、移動錘部１２が後方（重心移動方向）へ移動しようとすると共に、基本錘２３が隔壁部２０に沿って矢印２７の方向へ瞬時に移動する。そして、この基本錘２３の移動によって基本錘２３と移動錘部１２との距離が急激に大きくなることから、両者間に作用する磁力が急激に減少する。これにより、ルアー４０のキャストと同時に移動錘部１２の保持力が解除され、移動錘部１２は、キャストの瞬間と同時に速やかに筐体１３の後方へ移動する。
【００７２】
このように、本変形例においても、キャストの瞬間と同時にルアー４０の重心が後方へ移動するから、ルアー４０は後部から安定した姿勢で飛行することができ、これにより、ルアー４０の飛距離を増大させることができると共に、ルアー１０へのラインの絡み付き等を防止することができる。
【００７３】
また、着水と同時に基本錘２３が元の位置に戻り、ルアー４０が水中で略水平状態となるから、ルアー４０の重心は再び中央位置へ移動する。その結果、ルアー４０のリーリング時には重心を中央位置に保持しておくことができ、その泳姿勢をきわめて擬魚的なものとすることができる。
【００７４】
また、移動錘部１２が重心移動用錘１１と保持用錘３４とにより構成されている点、重心移動用の錘部材として弱磁性体からなる部材、特にタングステンからなる重心移動用錘１１を採用している点、隔壁部２０の壁面４４が、基本錘２３の移動を案内する案内面として構成されている点、および第２リブ１９を設けている点については上記実施形態と同様であるから、かかる構成については、上記実施形態の作用効果と同様の作用効果を奏する。
【００７５】
また、本変形例では、筐体１３の補強用としての第１リブ４１および基板４２の屈曲部４３により隔壁部２０を構成しているから、隔壁部２０を特別の部材により構成する必要がなく、ルアー４０の部品点数を削減して、コストを下げることが可能である。しかも、この第１リブ４１および基板４２は、基本錘２３の移動を案内する案内板としても機能するから、基本錘２３の円滑な移動を実現するために、その移動を案内する部材を別途設ける必要がなく、ルアー４０の部品点数を削減して、コストダウンを図ることが可能となる。
【００７６】
さらに、本実施形態では、筐体１３の前後方向に沿って第２リブ１９を形成し、これにより移動錘部１２の移動を案内する移動用通路２１を区画形成している。したがって、この移動用通路２１によって、移動錘部１２を円滑に移動させることができ、ルアー４０の重心移動をよりスムーズなものとすることができる。
【００７７】
しかも、本変形例では、基板４２に突起を設けていないので、基板４２の製造が簡単かつ安価であり、これにより、ルアー４０の製造コストの削減に一層寄与することができるという利点がある。
【００７８】
また、上記実施形態およびその変形例においては、基板２５，４２のそれぞれの平板部３０は、完全な平面に形成されているが、この平板部３０に重心移動用錘１１および保持用錘３４を保持するための凹部を形成することもできる。かかる凹部を設けることにより、重心移動用錘１１および保持用錘３４が筐体１３の中央部に位置する場合には、これらが凹部に嵌まり込み、構造的に保持される。したがって、ルアー１０，４０のリーリング時には、その重心をより確実に中央部に保持することができるという利点がある。
【００７９】
【発明の効果】
以上のように本発明によれば、常時、たとえばリーリング時には重心を前方に保持しておくことができるからルアーの泳姿勢をきわめて擬魚的なものとすることができる。一方、キャスティング時には、キャストと同時に移動錘部の保持力を解除して重心を速やかに後方に移動させることができるので、飛行姿勢を安定させて飛距離を増大させることができると共に、ラインの絡み等を防止することができる。
【図面の簡単な説明】
【図１】本発明の実施形態に係るルアーの断面図である。
【図２】図１の要部拡大図であって、重心移動機構を詳細に示した図である。
【図３】本発明の変形例に係るルアーの断面図である。
【図４】従来の重心移動タイプのルアーの構造を示す断面図である。
【図５】従来の他の重心移動タイプのルアーの構造を示す断面図である。
【符号の説明】
１０  ルアー
１１  重心移動用錘
１２  重心移動機構
１３  筐体
１８  第１リブ
１９  第２リブ
２０  隔壁部
２１  移動用通路
２２  内部底面
２３  基本錘
２４  移動錘部
２５  基板
２６  壁面
２８  小孔
２９  屈曲部
３０  平板部
３１  当接辺部
３２  延設部
３３  突起
３４  保持用錘
４０  ルアー
４１  第１リブ
４２  基板
４４  壁面
【図１】
0004472834.tif 000002
【図２】
0004472834.tif 000003
【図３】
0004472834.tif 000004
【図４】
0004472834.tif 000005
【図５】
0004472834.tif 000006